(57)【特許請求の範囲】
【請求項１】
販売する商品毎に商品情報を記憶し、その商品情報に基づいてラベルを印字するラベルプリンタにおいて、
商品の風袋に使用される容器の材質を記憶する風袋材質記憶手段と、前記材質を風袋量と関連づけて記憶する手段と、印字する商品及び前記風袋量を指定する手段と、この手段で指定された商品の商品情報と風袋量及びその風袋量に関連づけて記憶された材質をラベルに印字する印字手段とを備えたことを特徴とするラベルプリンタ。
【発明の詳細な説明】
【０００１】
【発明の属する技術分野】
本発明は、商品を販売するときにその商品に貼り付けられるラベルを印字するラベルプリンタに関する。
【０００２】
【従来の技術】
従来、販売する商品の商品名、単価などの商品情報をＰＬＵ（プライス・ルック・アップ）としてメモリに記憶し、オペレータにより商品が選択されると、その商品の商品情報を読み出してラベルに印字するラベルプリンタが知られている。このようなラベルプリンタではＰＬＵに記憶する商品毎に対応させて主に使用する風袋量を設定する機能を有しているものもある。この風袋量の設定は、例えば、図７のテーブル１に示すように、Ｎｏ．１には風袋量１ｇ、Ｎｏ．２には風袋量２ｇ、Ｎｏ．３には風袋量３ｇ、Ｎｏ．４には風袋量４ｇ、Ｎｏ．５には風袋量５ｇ、Ｎｏ．６には風袋量８ｇ、Ｎｏ．７には風袋量１０ｇ、Ｎｏ．８には風袋量１５ｇが設定されている。このように設定された風袋量をＰＬＵに割付けることにより風袋量を商品情報と共に印字するようになっている。また、ラベルプリンタで風袋キーに風袋量を設定する機能を有しているものはラベルの印字を行なう都度設定を行なっていた。
【０００３】
【発明が解決しようとする課題】
しかしながら、従来のラベルプリンタでは、ラベルに商品情報と共に風袋量を印字することはできたが、風袋に使用される容器の材質を印字する機能は有していなかった。つまり、商品を販売するときにその商品の風袋に貼り付けられるラベルには風袋に使用される容器の材質が印字されていないため、顧客は購入する商品の風袋に使用される容器の材質がどのような材質なのかラベルから視認できないという事情があった。
【０００４】
本発明は上記事情に鑑みてなされたものであって、その目的は、商品の風袋に使用される容器の材質がどのような材質であるかを印字できるラベルプリンタを提供することにある。
【０００５】
【課題を解決するための手段】
請求項１に係る発明のラベルプリンタは、販売する商品毎に商品情報を記憶し、その商品情報に基づいてラベルを印字するものであって、商品の風袋に使用される容器の材質を記憶する風袋材質記憶手段と、前記材質を風袋量と関連づけて記憶する手段と、印字する商品及び前記風袋量を指定する手段と、この手段で指定された商品の商品情報と風袋量及びその風袋量に関連づけて記憶された材質をラベルに印字する印字手段とを備える。
【０００６】
【発明の実施の形態】
以下、本発明の一実施の形態について図面を参照して説明する。
図１は、本実施の形態におけるラベルプリンタとしてのラベルプリンタ付き電子料金秤の外観を示す斜視図である。１１はラベルプリンタ付き電子料金秤である。１２はオペレータが商品の指定などの各種入力を行なうためのタッチパネルとオペレータに表示を行なうためのＬＣＤ（リキッド・クリスタル・ディスプレイ）が設けられたタッチパネル付きＬＣＤ部、１３は商品を計量するためのＬ／Ｃ（ロードセル）部、１４はラベルを発行するラベル発行口などが設けられている。
【０００７】
図２は、ラベルプリンタ付き電子料金秤１１の制御ブロックを示す図である。２１は制御部本体としてのＣＰＵ（中央処理装置）、２２はＣＰＵ２１に実行させる各種プログラムが記憶されたＲＯＭ（リード・オンリー・メモリ）、２３はＣＰＵ２１がプログラムを実行するときのワークリエアや風袋材質データ２３１、風袋データ２３２、ＰＬＵデータ２３３が記憶されたエリアが形成されたＲＡＭ（ランダム・アクセス・メモリ）、２４はラベルを印字発行するためのプリンタ部２５を制御するプリンタ制御部、２６は商品を計量するためのロードセルなどを有するＬ／Ｃ部１３と接続するためのＩ／Ｆ（インターフェース）、２７はタッチパネル付きＬＣＤ部１２への表示を制御するＬＣＤ制御部、２８はタッチパネルからの入力を制御するタッチパネル制御部である。ＣＰＵ２１とＲＯＭ２２、ＲＡＭ２３、プリンタ制御部２４、Ｉ／Ｆ２６、ＬＣＤ制御部２７、タッチパネル制御部２８とはバスライン２９を介して接続されている。なお、前記ＲＡＭ２３に記憶される風袋材質データ２３１、風袋データ２３２、ＰＬＵデータ２３３の各データはラベルプリンタ付き電子料金秤１１の電源ＯＦＦ時にも保持されるようになっている。
【０００８】
図３は風袋材質記憶手段としての風袋に使用される容器の材質を設定した風袋材質データ２３１のテーブル３１である。設定番号（Ｎｏ．０１〜Ｎｏ．０７）に風袋に使用される容器の材質が設定されている。この実施の形態においては、その材質に対応してリサイクル品であることを示すロゴマークの設定ができるようになっている。ロゴマークを印字しないときは印字無しを示す「−」設定され、ロゴマークを印字するときは「１」あるいは「２」が設定され、２種類のロゴマークのどちらかを印字できるようになっている。テーブル３１に示すように、Ｎｏ．１には材質は紙容器，ロゴマークは無し、Ｎｏ．２には材質はＰＥＴ（ポリエチレンテレフタレート），ロゴマークは１、Ｎｏ．３には材質は発砲スチロール（白），ロゴマークは２、Ｎｏ．４には材質は発砲スチロール（色付き），ロゴマークは２、Ｎｏ．５には材質は紙容器（箱），ロゴマークは無し、Ｎｏ．６には材質は容器：ＰＥＴ１  添物：プラスチック，ロゴマークは１、Ｎｏ．７には材質は容器：発砲スチロール  添物：プラスチック，ロゴマークは２が設定されている。
【０００９】
図４は風袋量と風袋に使用される容器の材質とを関連づけて設定した風袋データ２３２を示すテーブル３２である。設定番号（Ｎｏ．１〜Ｎｏ．８）に風袋量と前記風袋材質データ２３１のテーブル３１の設定番号とが関連付けられて設定されている。テーブル３２で示すように、Ｎｏ．１には風袋量は１ｇ，風袋材質の設定番号は０１、Ｎｏ．２には風袋量は２ｇ，風袋材質の設定番号は０２、Ｎｏ．３には風袋量は３ｇ，風袋材質の設定番号は０２、Ｎｏ．４には風袋量は４ｇ，風袋材質の設定番号は０３、Ｎｏ．５には風袋量は５ｇ，風袋材質の設定番号は０４、Ｎｏ．６には風袋量は８ｇ，風袋材質の設定番号は０５、Ｎｏ．７には風袋量は１０ｇ，風袋材質の設定番号は０２、Ｎｏ．８には風袋量は１５ｇ，風袋材質の設定番号は０４が設定されている。
【００１０】
図５は販売する商品に関する商品情報を商品毎に記憶されたＰＬＵデータ２３３を示すテーブル３３である。設定番号に商品に関するデータが割付けられている。テーブル３３に示すように、Ｎｏ．１には品番、Ｎｏ．２には分類コード、Ｎｏ．３には商品コード、Ｎｏ．４にはバーコード作成タイプ、Ｎｏ．６には品名、Ｎｏ．７には補助メッセージ、Ｎｏ．１０及びＮｏ．１２には単価が設定され、この単価がさらに、Ｎｏ．１０にはメモリＡ（値段）、Ｎｏ．１２には風袋材質の設定番号、Ｎｏ．２０には補助品名などの項目が設けられ、販売する商品毎にこれらの項目毎に割付けが行なわれている。
【００１１】
このようなラベルプリンタ付き電子料金秤１１を使用してラベルを印字するときに商品及びその商品に使用される容器の材質の指定は、オペレータが前記タッチパネルを操作してＰＬＵデータ２３３から商品を設定すると共に風袋材質データ２３１から材質を設定することにより行なっても良いし、ＰＬＵデータ２３３のテーブル３３のように商品と風袋材質の設定番号が関連づけて記憶されていればオペレータがＰＬＵデータ２３３の商品を設定することにより行なってもよいし、風袋データ２３２のテーブルのように風袋量と風袋材質の設定番号が関連づけて記憶されていればオペレータが商品と風袋量とを設定することにより行なうようにしてもよい。
【００１２】
次に、ラベルプリンタ付き電子料金秤１１の作用について説明する。オペレータがタッチパネル付きＬＣＤ部１２を操作して、サラダサンド（ハム／チーズ）を３００ｇ販売するときのラベルを発行する場合で説明する。サラダサンド（ハム／チーズ）を販売するときは、風袋に使用される容器の材質は図３で示す風袋材質データ２３１のテーブル３１の設定番号０７を使用するため、サラダサンドのＰＬＵデータ２３３の設定番号Ｎｏ．１２には風袋材質は０７が割付けられている。ＣＰＵ２１はオペレータよるタッチパネルの操作を受け付けると、サラダサンド（ハム／チーズ）のデータをＰＬＵデータ２３３のテーブル３３から読出す。このときに、サラダサンド（ハム／チーズ）のデータと共にＰＬＵデータの設定番号Ｎｏ．１２に割付けられた風袋材質「０７」から容器：発砲スチロール，添物：プラスチック、ロゴマークの設定である２を風袋材質データ２３１のテーブル３１から読出す。そして、プリンタ部２５を動作させこれらのデータをラベルに印字し、ラベル発行口１４からラベルを発行する。
【００１３】
図６はこのようにして発行されたラベル３４を示す図である。名称「サラダサンド（ハム／チーズ）」、内容量「３００」ｇ、単価「２００」円、値段「６００」円などの商品情報と共にラベル３４の下方にロゴマーク及びそのロゴマークの右側に外装箱：紙  内側容器：ＰＰ（ポリプロピレン）が印字されている。つまり、サラダサンド（ハム／チーズ）を３００ｇ収容した風袋に使用される容器の材質の外装箱は紙であり、内側容器はＰＰであることがラベル３４に印字され、ロゴマークによりこの容器はリサイクル品であることが印字されている。したがって、顧客は商品を購入するときにその商品の風袋に使用される容器の材質をラベル３４から視認できる。
【００１４】
この実施の形態のラベルプリンタ付き電子料金秤１１によると、商品情報が記憶されたＰＬＵ毎に使用する風袋の種類がわかっている場合には、予めＰＬＵに風袋材質データ２３１のテーブル３１の設定番号を割付けておくことにより商品情報と共にその商品の風袋に使用される容器の材質をラベルに印字することができるので、商品の販売側は商品の風袋に使用される容器の材質がどのような材質であるかを明確にでき、顧客は商品の風袋に使用される容器の材質がどのような材質であるかを視認できる。したがって、顧客はラベル３４から風袋に使用される容器の材質を知ることができるので容器を廃棄するときにゴミの分別が簡単になる。
【００１５】
また、ＰＬＵデータ２３３に風袋に使用される容器の材質を直接設定すると、風袋に使用される容器の材質を変更する度にその変更する商品のＰＬＵデータ２３３を変更しなければならないが、本実施の形態においては、ＰＬＵデータ２３３上に風袋に使用される容器の材質の設定番号を設定するが、風袋に使用される容器の材質を記憶しないため、風袋に使用される容器の材質を変更しても風袋材質データ２３１のテーブル３１を変更することで対応できる。
【００１６】
さらに、この実施の形態においては、ラベルを印字する商品の風袋に使用する容器の材質が予めＰＬＵデータ２３３に割付けられている場合について説明したが、ＰＬＵデータ２３３に風袋量を割付けできるラベルプリンタであれば、風袋量と風袋に使用される容器の材質とは風袋データ２３２のテーブル３２により関連付けられているので風袋量の設定番号をＰＬＵデータ２３３に割付けることにより同様な効果を得ることができる。
【００１７】
さらに、商品毎に使用する風袋が定められていない場合では、オペレータが風袋材質データ２３１のテーブル３１から風袋に使用する容器の材質を設定して印字を行なうことにより、ラベルを印字する毎に風袋に使用される容器の材質を入力しなくても風袋に使用される容器の材質をラベルに印字できるのでオペレータの手間を省くことができる。
【００１８】
また、商品毎に使用する風袋が定められていない場合で重量に応じて複数種類の風袋を使い分けるときは、風袋データ２３２のテーブル３２のテーブルから風袋量を選択して印字を行なうことにより、ラベルを印字する毎に風袋に使用される容器の材質を入力しなくても自動的に風袋に使用される容器の材質をラベルに印字できるので、風袋に使用される容器の材質を確認し選択するオペレータの手間を省くことができる。
【００１９】
【発明の効果】
本発明によれば、商品の風袋に使用される容器の材質がどのような材質であるかを印字できるラベルプリンタを提供できる。
【図面の簡単な説明】
【図１】  本発明の実施の形態におけるラベルプリンタ付き電子料金秤の外観を示す図。
【図２】  同実施の形態におけるラベルプリンタ付き電子料金秤の制御ブロックを示す図。
【図３】  同実施の形態における風袋材質データのテーブルを示す図。
【図４】  同実施の形態における風袋データのテーブルを示す図。
【図５】  同実施の形態におけるＰＬＵデータのテーブルを示す図。
【図６】  同実施の形態におけるラベルプリンタ付き電子料金秤が発行するラベルの例を示す図。
【図７】  従来のラベルプリンタに記憶された風袋量のデータのテーブルを示す図。
【符号の説明】
１１…ラベルプリンタ付き電子料金秤
１２…タッチパネル付きＬＣＤ部
２３１…風袋材質データ
２３２…風袋データ
２３３…ＰＬＵデータ
２５…プリンタ部
【図１】
0004132816.tif 000002
【図２】
0004132816.tif 000003
【図３】
0004132816.tif 000004
【図４】
0004132816.tif 000005
【図５】
0004132816.tif 000006
【図６】
0004132816.tif 000007
【図７】
0004132816.tif 000008